(57)【要約】      （修正有）【課題】光ディスクの再生時などの読み出しにおいて、省電力とプレアビリティの向上を両立する。【解決手段】傷検出回路１６の検出信号がコントローラＩＣ２２にも入力され、コントローラＩＣ２２はスピンドル回路１８やデータ処理回路１５に対して通常モードでの駆動や倍速モードでの駆動を制御する。すなわち、コントローラＩＣ２２は傷検出回路１６にて傷検出されていない場合はスピンドル回路１８やデータ処理回路１５に対して通常モードでの駆動を指示し、傷検出回路１６で傷検出されるとスピンドル回路１８やデータ処理回路１５に対して倍速モードでの駆動を指示し、できるだけ通常モードとしつつも、表面欠陥がある領域だけでは倍速モードとして省電力化とプレアビリティの向上を実現する。【選択図】図１
2011129233.tif 000002
【特許請求の範囲】
【請求項１】
光ディスクを回転させつつ、読出光を照射し、反射光に基づいてデータを読出可能な光ディスクドライブ装置であって、
上記光ディスクの表面の欠陥を検出する表面欠陥検出手段と、
上記光ディスクの駆動速度を通常モードでの回転速度と、それ以上の高速の倍速モードでの回転速度とのいずれかでの動作を制御する通常速倍速制御手段と、
上記表面欠陥検出手段で表面欠陥が検出されると、所定期間にわたって上記通常速倍速制御手段で倍速モードでの駆動とさせ、その後、通常モードでの駆動とさせる表面欠陥制御手段を具備することを特徴とする光ディスクドライブ装置。
【請求項２】
上記表面欠陥制御手段は、上記通常速倍速制御手段に対して、当初、通常モードで駆動させ、上記表面欠陥検出手段で表面欠陥が検出されると、所定期間にわたって上記通常速倍速制御手段で倍速モードでの駆動とさせ、所定期間にわたって同倍速モードを維持し、その後、上記表面欠陥検出手段で表面欠陥が検出されないと、通常モードでの駆動とさせることを特徴とする請求項１に記載の光ディスクドライブ装置。
【請求項３】
上記表面欠陥制御手段は、リアルタイムに上記表面欠陥検出手段で上記光ディスク表面の表面欠陥の検出結果に基づいて上記制御を行うことを特徴とする請求項１または請求項２に記載の光ディスクドライブ装置。
【請求項４】
上記表面欠陥制御手段は、予め上記表面欠陥検出手段で上記光ディスク表面の表面欠陥の存在位置を検出して記憶しておき、上記光ディスクのアクセス領域と上記記憶された表面の存在位置とを対比して、同存在位置となるときに、上記通常速倍速制御手段で倍速モードでの駆動とさせ、同存在位置でなくなるときに、上記通常速倍速制御手段で通常モードでの駆動とさせることを特徴とする請求項１または請求項２に記載の光ディスクドライブ装置。
【請求項５】
上記表面欠陥制御手段は、表面欠陥が検出されてから予め定めた所定期間だけ上記倍速モードを維持させることを特徴とする請求項１または請求項２に記載の光ディスクドライブ装置。
【請求項６】
上記表面欠陥制御手段は、表面欠陥が検出されてから予め定めた所定の記憶領域にわたって上記倍速モードを維持させることを特徴とする請求項１または請求項２に記載の光ディスクドライブ装置。
【請求項７】
光ディスク表面に読出光を収束させ、反射光を受光して光電気変換する受光器を備え、トラッキングサーボ駆動とフォーカスサーボ駆動とが可能な光ピックアップと、
上記受光器からの出力信号を信号処理し、フォーカスエラー信号と、トラッキングエラー信号と、ＲＦ信号とを出力する信号処理回路と、
上記フォーカスエラー信号を入力して上記光ピックアップでフォーカスサーボ駆動を実施させるフォーカスサーボ回路と、
上記トラッキングエラー信号を入力して上記光ピックアップでトラッキングサーボ駆動を実施させるトラッキングサーボ回路と、
上記ＲＦ信号を入力して上記光ディスクの表面欠陥を検出して傷信号を出力し、上記フォーカスサーボ回路と上記トラッキングサーボ回路でのサーボ制御を停止させる傷検出回路と、
スピンドルを回転駆動させるスピンドルモータと、
このスピンドルモータの回転駆動を制御するスピンドル回路と、
上記ＲＦ信号に基づいてデータ処理を行うデータ処理回路と、
上記光ピックアップをトラッキングスクリューを介して駆動するトラッキング用ステッピングモータと、
上記トラッキング用ステッピングモータの駆動信号を出力するトラッキング用ステッピングモータ駆動回路と、
装置全体を制御するコントローラＩＣとを具備し、
同コントローラＩＣは、上記傷検出回路での検出結果に基づいて、上記スピンドル回路とデータ処理回路とを制御し、表面欠陥が検出されると、所定期間にわたって倍速モードでの駆動とさせつつ所定期間にわたって同倍速モードを維持し、表面欠陥が検出されなくなると、通常モードでの駆動とさせることを特徴とする請求項１〜請求項７のいずれかに記載の光ディスクドライブ装置。
【請求項８】
光ディスクを回転させつつ、読出光を照射し、反射光に基づいてデータを読出可能な光ディスクドライブ装置であって、
光ディスク表面に読出光を収束させ、反射光を受光して光電気変換する受光器を備え、トラッキングサーボ駆動とフォーカスサーボ駆動とが可能な光ピックアップと、
上記受光器からの出力信号を信号処理し、フォーカスエラー信号と、トラッキングエラー信号と、ＲＦ信号とを出力する信号処理回路と、
上記フォーカスエラー信号を入力して上記光ピックアップでフォーカスサーボ駆動を実施させるフォーカスサーボ回路と、
上記トラッキングエラー信号を入力して上記光ピックアップでトラッキングサーボ駆動を実施させるトラッキングサーボ回路と、
上記ＲＦ信号を入力して上記光ディスクの表面欠陥を検出して傷信号を出力し、上記フォーカスサーボ回路と上記トラッキングサーボ回路でのサーボ制御を停止させる傷検出回路と、
スピンドルを回転駆動させるスピンドルモータと、
このスピンドルモータの回転駆動を制御するスピンドル回路と、
上記ＲＦ信号に基づいてデータ処理を行うデータ処理回路と、
上記光ピックアップをトラッキングスクリューを介して駆動するトラッキング用ステッピングモータと、
上記トラッキング用ステッピングモータの駆動信号を出力するトラッキング用ステッピングモータ駆動回路と、
装置全体を制御するコントローラＩＣとを具備し、
上記光ディスクの表面の欠陥を検出する表面欠陥検出手段と、
上記光ディスクの駆動速度を通常モードでの回転速度と、それ以上の高速の倍速モードでの回転速度とのいずれかでの動作を制御する通常速倍速制御手段と、
リアルタイムな上記表面欠陥検出手段による上記光ディスク表面の表面欠陥の検出結果に基づき、上記通常速倍速制御手段に対して、当初、通常モードで駆動させ、上記表面欠陥検出手段で表面欠陥が検出されると、所定期間にわたって上記通常速倍速制御手段で倍速モードでの駆動とさせ、予め定めた所定期間にわたって同倍速モードを維持し、その後、上記表面欠陥検出手段で表面欠陥が検出されないと、通常モードでの駆動とさせる表面欠陥制御手段を具備することにより、
上記コントローラＩＣは、上記傷検出回路での検出結果に基づいて、上記スピンドル回路とデータ処理回路とを制御し、表面欠陥が検出されると、所定期間にわたって倍速モードでの駆動とさせつつ所定期間にわたって同倍速モードを維持し、表面欠陥が検出されなくなると、通常モードでの駆動とさせることを特徴とする光ディスクドライブ装置。
【発明の詳細な説明】
【技術分野】
【０００１】
本発明は、光ディスクドライブ装置に関し、特に、ディスク面上の傷や埃を検出する光ディスクドライブ装置に関する。
【背景技術】
【０００２】
光ディスクに表面欠陥がある場合の読み出し制御として、以下のものが知られている。
特許文献１には、傷の状況に応じて光ディスクの回転速度の増減を制御し、傷による再生能力の低下を防止する技術が開示されている。
特に、図２と段落００４６〜段落００４８には、「ＲＦ信号の振幅低下が傷検出レベルに達しない範疇の傷である。このため、タイプ（３）の傷の場合、光ディスク１００の回転速度を増加させることによってエラー信号の変動はむしろ低減する」旨の記載がある。
【０００３】
また、特許文献２には、規格が異なる記録層を有するハイブリッド型光ディスクの記録または再生に要する時間を短縮化する技術が開示されている。
特に、図５と段落００１０には「傷や汚れなどを記録または状態を悪化させる要因であって基準値以上のものがあるときは、記録または再生性能を確保するために、モータ駆動回路１５を制御して、該ハイブリッド型光ディスク２の回転速度（倍速）を低減（ダウン）させる（＝倍速値ダウンを行う）ようにスピンドルモータ３の回転速度を低下させる」旨の記載がある。
【０００４】
さらに、特許文献３には、光ディスク装置において、光ディスク表面の汚れや傷、埃などの表面欠陥を検出する技術が開示されている。
特に、図４と段落００２７には「再生パワーのレーザ光で表面欠陥を検出するため、データの再生時と同じ環境で欠陥を検出できる利点もある。また、表面欠陥を検出した場合に、一律にエラー処理するのではなく、減速処理して表面欠陥の影響を見かけ上無くすようにしている」旨の記載がある。
さらに、特許文献４には、ディスクの傷や汚れなどによって減速しなければ読み出せない領域を持っているディスクの場合、予め読み出し可能な回転速度に減速することができるようにする技術が開示されている。
【０００５】
特に、段落０００６には「ディスク面に傷や汚れがあり、ディスクの回転速度を減速しなければ読み出せない減速読出可能領域がある場合に、記憶されている減速読出領域において、予め記憶した読出可能な回転速度でディスクを再生する」旨の記載がある。
【先行技術文献】
【特許文献】
【０００６】
【特許文献１】特開２００８−２９９９０１号公報
【特許文献２】特開２００７−１４９２９０号公報
【特許文献３】特開２００６−１７９１５２号公報
【特許文献４】特開２００４−１５２３７９号公報
【発明の概要】
【発明が解決しようとする課題】
【０００７】
上述した従来の装置の場合、通常時は倍速モード等の高速な駆動を実施し、表面欠陥が見つかると減速して読み出しを行う。しかし、倍速モードは通常モードよりも電力を必要とし、省電力の希望に添わない。
本発明は、光ディスクの再生時などの読み出しにおいて、省電力とプレアビリティの向上を両立することを目的とする。
【課題を解決するための手段】
【０００８】
本発明は、光ディスクを回転させつつ、読出光を照射し、反射光に基づいてデータを読出可能な光ディスクドライブ装置であって、上記光ディスクの表面の欠陥を検出する表面欠陥検出手段と、上記光ディスクの駆動速度を通常モードでの回転速度と、それ以上の高速の倍速モードでの回転速度とのいずれかでの動作を制御する通常速倍速制御手段と、上記表面欠陥検出手段で、表面欠陥が検出されると、所定期間にわたって上記通常速倍速制御手段で倍速モードでの駆動とさせ、その後、通常モードでの駆動とさせる表面欠陥制御手段を具備する構成としてある。
【０００９】
上記構成において、表面欠陥検出手段は光ディスクの表面の欠陥を検出することが可能であり、通常速倍速制御手段は光ディスクの駆動速度を通常モードでの回転速度と、それ以上の高速の倍速モードでの回転速度とのいずれかでの動作を制御することが可能となっている。そして、表面欠陥制御手段は、上記表面欠陥検出手段で表面欠陥が検出されると、所定期間にわたって上記通常速倍速制御手段で倍速モードでの駆動とさせ、その後、通常モードでの駆動とさせる。
【００１０】
また、上記表面欠陥制御手段は、上記通常速倍速制御手段に対して、当初、通常モードで駆動させ、上記表面欠陥検出手段で、表面欠陥が検出されると、所定期間にわたって上記通常速倍速制御手段で倍速モードでの駆動とさせ、所定期間にわたって同倍速モードを維持し、その後、上記表面欠陥検出手段で、表面欠陥が検出されないと、通常モードでの駆動とさせるように構成しても良い。
すなわち、当初は、通常モードで駆動し、表面欠陥が検出されると、倍速モードでの駆動とし、所定期間経過後、表面欠陥が検出されないと通常モードでの駆動に戻している。従って、倍速モードでの駆動はできるだけ少なくし、逆に通常モードでの駆動をできるだけ多くする。これにより、省電力となる。
【００１１】
一方、表面欠陥がある領域では、実際の表面欠陥の検出領域よりも検出結果は遅れがちであり、表面欠陥が無くなったことの検出結果も遅れがちである。この表面欠陥がある領域ではサーボの外れを防止するためサーボ駆動を停止させる。しかし、上記遅れの間は停止させること自体ができず、サーボの乱れを誘引させる。
本発明では、表面欠陥のある領域で倍速モードとすることで、上記遅れの期間自体が短くなり、サーボの乱れの期間が短くなって読み出しエラーを回避できる。また、遅れの期間が短くなることで、駆動周波数が高くなり、マスを有する部材のサーボ駆動の応答性が低くなり、サーボの乱れが生じにくくなる。すなわち、両者の作用により、倍速モードとすることによって表面欠陥があってもサーボの乱れを生じにくくすることができる。
【００１２】
さらに、上記表面欠陥制御手段は、リアルタイムに上記表面欠陥検出手段で上記光ディスク表面の表面欠陥の検出結果に基づいて上記制御を行うように構成しても良い。
すなわち、リアルタイムに表面欠陥を見つけては倍速モードに移行し、表面欠陥が無くなれば、通常モードに移行する。
また、上記表面欠陥制御手段は、予め上記表面欠陥検出手段で上記光ディスク表面の表面欠陥の存在位置を検出して記憶しておき、上記光ディスクのアクセス領域と上記記憶された表面の存在位置とを対比して、同存在位置となるときに、上記通常速倍速制御手段で倍速モードでの駆動とさせ、同存在位置でなくなるときに、上記通常速倍速制御手段で通常モードでの駆動とさせるように構成しても良い。
【００１３】
表面欠陥の存在位置が予め分かっていれば、その領域でだけ倍速モードに移行すればよい。従って、予め表面欠陥検出手段で光ディスク表面の表面欠陥の存在位置を検出して記憶しておく。そして、光ディスクのアクセス領域と記憶された表面の存在位置とを対比する。もし、アクセス領域が上記存在位置となっていれば倍速モードでの駆動とさせるし、アクセス領域が同存在位置でなくなったら通常モードでの駆動とさせる。
【００１４】
ところで、頻繁に通常モードと倍速モードとの切り換えを行うと煩雑である。
このため、上記表面欠陥制御手段は、表面欠陥が検出されてから予め定めた所定期間だけ上記倍速モードを維持させるように構成しても良い。例えば、一分間、二分間といった予め決めた期間は表面欠陥が無くなっているとしても倍速モードを維持する。これにより、頻繁に通常モードと倍速モードとを切り換えることが無くなる。
さらに、上記表面欠陥制御手段は、表面欠陥が検出されてから予め定めた所定の記憶領域にわたって上記倍速モードを維持させるように構成しても良い。例えば、１００トラックであるとか、所定のアドレス分だけの期間は表面欠陥が無くなっているとしても倍速モードを維持する。これにより、頻繁に通常モードと倍速モードとを切り換えることが無くなる。
【００１５】
また、より具体的な構成として、光ディスク表面に読出光を収束させ、反射光を受光して光電気変換する受光器を備え、トラッキングサーボ駆動とフォーカスサーボ駆動とが可能な光ピックアップと、上記受光器からの出力信号を信号処理し、フォーカスエラー信号と、トラッキングエラー信号と、ＲＦ信号とを出力する信号処理回路と、上記フォーカスエラー信号を入力して上記光ピックアップでフォーカスサーボ駆動を実施させるフォーカスサーボ回路と、上記トラッキングエラー信号を入力して上記光ピックアップでトラッキングサーボ駆動を実施させるトラッキングサーボ回路と、上記ＲＦ信号を入力して上記光ディスクの表面欠陥を検出して傷信号を出力し、上記フォーカスサーボ回路と上記トラッキングサーボ回路でのサーボ制御を停止させる傷検出回路と、スピンドルを回転駆動させるスピンドルモータと、このスピンドルモータの回転駆動を制御するスピンドル回路と、上記ＲＦ信号に基づいてデータ処理を行うデータ処理回路と、上記光ピックアップをトラッキングスクリューを介して駆動するトラッキング用ステッピングモータと、上記トラッキング用ステッピングモータの駆動信号を出力するトラッキング用ステッピングモータ駆動回路と、装置全体を制御するコントローラＩＣとを具備し、同コントローラＩＣは、上記傷検出回路での検出結果に基づいて、上記スピンドル回路とデータ処理回路とを制御し、表面欠陥が検出されると、所定期間にわたって倍速モードでの駆動とさせつつ所定期間にわたって同倍速モードを維持し、表面欠陥が検出されなくなると、通常モードでの駆動とさせる構成としても良い。
【００１６】
上記構成においては、コントローラＩＣは、上記傷検出回路での検出結果に基づいて、上記スピンドル回路とデータ処理回路とを制御する。すなわち、傷検出回路で表面欠陥が検出されると、コントローラＩＣは上記スピンドル回路とデータ処理回路とを制御して所定期間にわたって倍速モードでの駆動とさせる。そして、所定期間にわたって同倍速モードを維持する。表面欠陥が検出されなくなると、コントローラＩＣは上記スピンドル回路とデータ処理回路とを制御して通常モードでの駆動とさせる。
【００１７】
むろん、上記の統合として、光ディスクを回転させつつ、読出光を照射し、反射光に基づいてデータを読出可能な光ディスクドライブ装置であって、光ディスク表面に読出光を収束させ、反射光を受光して光電気変換する受光器を備え、トラッキングサーボ駆動とフォーカスサーボ駆動とが可能な光ピックアップと、上記受光器からの出力信号を信号処理し、フォーカスエラー信号と、トラッキングエラー信号と、ＲＦ信号とを出力する信号処理回路と、上記フォーカスエラー信号を入力して上記光ピックアップでフォーカスサーボ駆動を実施させるフォーカスサーボ回路と、上記トラッキングエラー信号を入力して上記光ピックアップでトラッキングサーボ駆動を実施させるトラッキングサーボ回路と、上記ＲＦ信号を入力して上記光ディスクの表面欠陥を検出して傷信号を出力し、上記フォーカスサーボ回路と上記トラッキングサーボ回路でのサーボ制御を停止させる傷検出回路と、スピンドルを回転駆動させるスピンドルモータと、このスピンドルモータの回転駆動を制御するスピンドル回路と、上記ＲＦ信号に基づいてデータ処理を行うデータ処理回路と、上記光ピックアップをトラッキングスクリューを介して駆動するトラッキング用ステッピングモータと、上記トラッキング用ステッピングモータの駆動信号を出力するトラッキング用ステッピングモータ駆動回路と、装置全体を制御するコントローラＩＣとを具備し、上記光ディスクの表面の欠陥を検出する表面欠陥検出手段と、上記光ディスクの駆動速度を通常モードでの回転速度と、それ以上の高速の倍速モードでの回転速度とのいずれかでの動作を制御する通常速倍速制御手段と、リアルタイムな上記表面欠陥検出手段による上記光ディスク表面の表面欠陥の検出結果に基づき、上記通常速倍速制御手段に対して、当初、通常モードで駆動させ、上記表面欠陥検出手段で、表面欠陥が検出されると、所定期間にわたって上記通常速倍速制御手段で倍速モードでの駆動とさせ、予め定めた所定期間にわたって同倍速モードを維持し、その後、上記表面欠陥検出手段で、表面欠陥が検出されないと、通常モードでの駆動とさせる表面欠陥制御手段を具備することにより、上記コントローラＩＣは、上記傷検出回路での検出結果に基づいて、上記スピンドル回路とデータ処理回路とを制御し、表面欠陥が検出されると、所定期間にわたって倍速モードでの駆動とさせつつ所定期間にわたって同倍速モードを維持し、表面欠陥が検出されなくなると、通常モードでの駆動とさせる構成としても良い。
【発明の効果】
【００１８】
本発明によれば、倍速モードでの駆動はできるだけ少なくし、逆に通常モードでの駆動をできるだけ多くすることで省電力としつつ、表面欠陥の発見領域で倍速モードとすることでサーボ不良を回避して読み出しを成功させるようにしたので、光ディスクの読み出し再生時において、省電力とプレアビリティの向上を両立することができる。
【図面の簡単な説明】
【００１９】
【図１】本発明が適用される光ディスクドライブ装置の概略ブロック図である。
【図２】本発明の一実施例となるフローチャートである。
【図３】本発明の変形例となるフローチャートである。
【発明を実施するための形態】
【００２０】
以下、図面にもとづいて本発明の実施形態を説明する。
図１は、本発明の一実施形態にかかる光ディスクドライブ装置をブロック図により示している。
同図において、光ピックアップ１１は、図示しない半導体レーザにより光ディスク表面に読出光を収束させ、反射光を受光して光電気変換する受光器１１ａを備えている。また、外部から通電されてレンズを駆動させるフォーカスコイル１１ｂとトラッキングコイル１１ｃとを備えており、これらのフォーカスコイル１１ｂとトラッキングコイル１１ｃによってトラッキングサーボ駆動とフォーカスサーボ駆動とが可能となっている。この受光器１１ａは反射光の受光領域に対応していわゆるＡ信号〜Ｄ信号を出力する。
【００２１】
信号処理回路１２は、上記受光器１１ａからの出力信号であるＡ信号〜Ｄ信号を受信して信号処理し、フォーカスエラー信号ＦＥと、トラッキングエラー信号ＴＥと、ＲＦ信号を出力する。
フォーカスサーボ回路１３は、上記フォーカスエラー信号ＦＥを入力しており、光ピックアップ１１のフォーカスコイル１１ｂに通電する駆動信号を出力し、フォーカスサーボ駆動を実施させる。また、トラッキングサーボ回路１４は、上記トラッキングエラー信号ＴＥを入力しており、光ピックアップ１１のトラッキングコイル１１ｃに通電する駆動信号を出力し、上記光ピックアップ１１でトラッキングサーボ駆動を実施させる。
【００２２】
より具体的には、フォーカスエラー信号ＦＥがフォーカスのずれを反映させた極性を有するエラー信号であることから、これを増幅してフォーカスコイル１１ｂに通電させることで極性を有する磁界を発生させ、同磁界にて上記フォーカスのずれを打ち消すように光ピックアップ１１内のレンズなどの稼働子を駆動する。
同様に、トラッキングエラー信号ＴＥがトラッキングのずれを反映させた極性を有するエラー信号であることから、これを増幅してトラッキングコイル１１ｃに通電させることで極性を有する磁界を発生させ、同磁界にて上記トラッキングのずれを打ち消すように光ピックアップ１１内のレンズなどの稼働子を駆動する。
【００２３】
ＲＦ信号はピットデータを表し、データ処理回路１５は同ＲＦ信号に基づいてデータ処理を行う。このＲＦ信号はまた光ディスクの表面欠陥の検出にも利用可能であり、傷検出回路１６は同ＲＦ信号から表面欠陥を検出すると傷信号を出力し、この傷信号によって上記フォーカスサーボ回路１３と上記トラッキングサーボ回路１４でのサーボ制御を停止させる。より具体的には、傷信号によってフォーカスサーボ回路１３とトラッキングサーボ回路１４の出力経路に介在したスイッチを開き、サーボ信号がフォーカスコイル１１ｂとトラッキングコイル１１ｃに入力されないようにする。
【００２４】
読み出し媒体である読出可能な光ディスクは、スピンドルに支持されて回転駆動されるが、スピンドルモータ１７はこのスピンドルを回転駆動させる駆動源である。そして、スピンドル回路１８はＲＦ信号に基づいてスピンドルモータ１７の回転駆動を制御する。すなわち、回転速度に対応した所定の周波数成分が得られるようにスピンドルモータ１７の回転速度を制御している。なお、光ディスクを回転させる駆動速度の違いで、通常モードに加えて高速な倍速モードの駆動が可能であり、本実施例では理解の容易のために、通常モードに比べて倍速モードでは二倍の速度で回転させるものとする。
【００２５】
また、上記光ピックアップ１１をトラッキングスクリュー１９ａを介して駆動するトラッキング用ステッピングモータ１９と、上記トラッキング用ステッピングモータ１９の駆動信号を出力するトラッキング用ステッピングモータ駆動回路２１を有しており、トラッキング用ステッピングモータ１９が回転すると、トラッキングスクリュー１９ａも回転し、このトラッキングスクリュー１９ａに螺合している光ピックアップ１１は光ディスクの径方向に沿って直線移動する。
【００２６】
最後に、本装置全体を制御するコントローラＩＣ２２が備えられており、スピンドルモータ１７にてスピンドルを介して光ディスクを回転させ、トラッキング用ステッピングモータ駆動回路２１にて光ピックアップ１１を所定位置に移動させ、トラッキングサーボとフォーカスサーボを実施させながら、光ピックアップ１１で光ディスクを読み出し、読み出し結果としてのＲＦ信号を出力させるように制御する。
傷検出回路１６の検出信号はコントローラＩＣ２２にも入力され、同コントローラＩＣ２２は後述するフローチャートに従ってスピンドル回路１８やデータ処理回路１５に対して通常モードでの駆動や倍速モードでの駆動を制御する。
【００２７】
すなわち、コントローラＩＣ２２は、ソフトウェア処理を伴って表面欠陥制御手段を構成し、傷検出回路１６はＲＦ信号を出力する信号処理回路１２や受光器１１ａとともに光ディスクの表面の欠陥を検出する表面欠陥検出手段を構成し、スピンドルモータ１７と一体としてのスピンドル回路１８とデータ処理回路１５とで通常速倍速制御手段を構成している。
【００２８】
次に、上記構成からなる本実施形態の動作を説明する。
図２は、本発明の一実施例にかかるフローチャートである。
ステップ１１では、各種サーボ系の自動調整を実施し、低倍速でリード状態に入る。すなわち、コントローラＩＣ２２は、スピンドルモータ１７にてスピンドルを介して光ディスクを回転させるとともに、トラッキング用ステッピングモータ駆動回路２１にて光ピックアップ１１を所定位置に移動させる。光ピックアップ１１にてレーザを光ディスク表面に照射すると、反射光を受けて受光器１１ａがＡ信号〜Ｄ信号を出力するので、信号処理回路１２を経てフォーカスエラー信号ＦＥとトラッキングエラー信号ＴＥが得られ、これによってフォーカスサーボ回路１３とトラッキングサーボ回路１４とでフォーカスコイル１１ｂとトラッキングコイル１１ｃへの通電を制御し、トラッキングサーボとフォーカスサーボを実施させることができる。また、正しいサーボの実施によって正確なＲＦ信号も得られ光ピックアップ１１による光ディスクの読み出しを実施させる。
【００２９】
ここで、当初、スピンドル回路１８に与えるモードは低倍速の通常モードである。すなわち、傷等がなければ低倍速の通常モードを続け、省電力を図っている。むろん、データ処理回路１５も通常モードでのＲＦ信号に基づいてデータ処理することになる。
ステップ１２では、傷検出信号が反応したか否かを判断する。すなわち、コントローラＩＣ２２は傷検出回路１６からの傷信号の出力の有無を監視しており、傷信号が出力されたら「傷検出信号が反応」と判断する。上述したように、倍速モードの方が傷や埃といった表面欠陥に強い。このため、ステップ１２にて「傷検出信号が反応」と判断されると、ステップ１３では、コントローラＩＣ２２は倍速を上げる。より具体的には、コントローラＩＣ２２はスピンドル回路１８とデータ処理回路１５に対して倍速モードでの駆動とさせる。これにより、スピンドル回路１８の指示を受けてスピンドルモータ１７はほぼ二倍の回転速度で回転し、データ処理回路１５もほぼ二倍の周波数成分となったピットデータのＲＦ信号に基づいてデータ処理する。
【００３０】
これに伴い、傷信号の遅れの時間は短くなり、フォーカスエラー信号ＦＥやトラッキングエラー信号ＴＥの周波数成分がほぼ二倍となるので、フォーカスコイル１１ｂやトラッキングコイル１１ｃが生成する磁界によって稼働子が駆動されるとしても、その応答性が悪くなるので、サーボ乱れは生じにくくなる。すなわち、プレアビリティの向上が図れる。
現実の表面結果に正確に反映すると、頻繁に通常モードと倍速モードとを切り換えなければならなくなる事態が発生する。これを防止するため、所定の期間は倍速モードを維持する方が得策である。ここで、倍速を上げる期間の設定は二つの方法がある。一つ目は一定期間、例えば、「一分間」というように時間を固定する方法である。ＤＶＤ再生などで傷による画面の乱れが生じる場合、経験的には一分程度で傷の領域を通過することが多い。このため、時間の単位で固定の所定期間を設けておく方法は簡易で有効である。
【００３１】
一方、ほぼ同様の考え方で、記憶領域のアドレス長を指定し、あるアドレス長を読み出していくまでは倍速モードを維持するという方法である。すなわち、所定の記憶領域にわたっては倍速モードを維持させるという方法でも、簡易で有効である。記憶領域の長さとして、アドレスの番地長でもよいし、トラックの本数などでも良い。
そして、以上の制御を実行しながら、ステップ１４にてリード状態を維持してＯＫか否かを判断し、読み出し再生を続ける。
【００３２】
この意味で、本実施例の場合は、リアルタイムに表面欠陥検出手段で光ディスク表面の表面欠陥の検出を行わせ、表面欠陥制御手段がその検出結果に基づいて上記制御を行なっているといえる。
これに対して、予め表面欠陥の存在位置を調べてしまってから再生を開始するという手法も可能である。
図３は、このような例に対応する本発明の変形例となるフローチャートである。
まず、ステップ２１では、傷のマッピングを行なう。すなわち、コントローラＩＣ２２は上述したようなリード状態を開始し、傷検出回路１６による傷確認を行わせる。そして、検出結果である傷情報を読出領域のアドレス情報と対応させて記憶する。これを望ましくは全ディスク領域にわたって行わせ、当該ディスクでの傷の領域、すなわち表面欠陥領域の存在位置を予め記憶しておくのである。
【００３３】
そして、ステップ２２にて再生と判断されると、ステップ２３にて再生を行う。この再生を行いながら、ステップ２４では再生している光ディスクのアクセス領域のアドレスと、先に記憶しておいた表面欠陥領域の存在位置であるアドレス情報とを対比し、一致するか否かを監視し続ける。もし、一致したら、光ディスクのアクセス領域が同存在位置となったのであるから、ステップ２５にて、コントローラＩＣ２２は上述したようにして倍速を指示し、ステップ２６にて「一分間」維持させる。むろん、この維持する期間は記憶領域長に依存させるようにしても良い。そして、この期間だけ維持したあと、再度、ステップ２４にて光ディスクのアクセス領域のアドレスと、先に記憶しておいた表面欠陥領域の存在位置であるアドレス情報とを対比し、一致しなくなっていれば、ステップ２７にて通常速度に戻すため、コントローラＩＣ２２は倍速モードから通常モードへの駆動に移行させる。
【００３４】
そして、再生を続けて良いか否かをステップ２８にて判断し、終わりと判断されるまで再生を続ける。
このように、コントローラＩＣ２２は傷検出回路１６にて傷検出されていない場合はスピンドル回路１８やデータ処理回路１５に対して通常モードでの駆動を指示し、傷検出回路１６で傷検出されるとスピンドル回路１８やデータ処理回路１５に対して倍速モードでの駆動を指示し、できるだけ通常モードとしつつも、表面欠陥がある領域だけでは倍速モードとして省電力化とプレアビリティの向上を実現している。
以上、本光ディスクドライブ装置を読み出しの動作に基づいて説明してきたが、書き込み可能なものであっても読み出し時に同様に動作可能である。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３６】
１１…光ピックアップ、１１ａ…受光器、１１ｂ…フォーカスコイル、１１ｃ…トラッキングコイル、１２…信号処理回路、１３…フォーカスサーボ回路、１４…トラッキングサーボ回路、１５…データ処理回路、１６…傷検出回路、１７…スピンドルモータ、１８…スピンドル回路、１９…トラッキング用ステッピングモータ、１９ａ…トラッキングスクリュー、２１…トラッキング用ステッピングモータ駆動回路、２２…コントローラＩＣ。
【図１】
2011129233.tif 000003
【図２】
2011129233.tif 000004
【図３】
2011129233.tif 000005